【手続補正書】
【提出日】平成17年4月20日(2005.4.20)
【手続補正１】
【補正対象書類名】明細書
【補正対象項目名】特許請求の範囲
【補正方法】変更
【補正の内容】
【特許請求の範囲】
【請求項１】
並列な複数のチャネルに接続され、各チャネルで入力された信号を前記複数のチャネルのうちのいずれかのチャネルで出力できるスイッチ手段と、前記複数のチャネルに接続される端末とを有しており、前記複数のチャネルは前記スイッチ手段を介してリング型に構成されている通信ネットワークであって、
該通信ネットワークに入力され、前記チャネルを伝送されて宛先の端末に到達する信号が、該通信ネットワークに入力された後、前記スイッチ手段を２回以上経由して宛先の端末に到達するように構成されていることを特徴とする通信ネットワーク。
【請求項２】
複数の端末を接続する為の複数のノード装置を、並列な複数のチャネルでリング状に接続した通信ネットワークであって、
前記並列なチャネル間でのパケットの乗り換えを行うスイッチ手段を少なくとも２箇所に設けており、隣接する下流のノード装置に接続された受信端末と通信する場合に、送信端末から送信された送信パケットが、前記リング状に接続された通信ネットワークを少なくとも１周以上周回してから受信端末に伝送されるように構成したことを特徴とする通信ネットワーク。
【請求項３】
複数の端末を接続する為の複数のノード装置を、並列な複数のチャネルでリング状に接続した通信ネットワークであって、
前記ノード装置は、
前記複数のチャネルを伝送されてくるパケットから、接続される端末に出力すべきパケットを分離する分離手段と、
前記複数のチャネルで入力されるパケットをスイッチングして、前記複数のチャネルのうちのいずれかで出力するスイッチ手段と、
前記分離手段が、入力されるパケットが自ノード装置もしくは他のノード装置の前記スイッチ手段を経由した回数が２回以上であるか否かを判別できる情報を、パケットに与える手段とを有していることを特徴とする通信ネットワーク。
【請求項４】
並列な複数のチャネルに接続され、各チャネルで入力された信号を前記複数のチャネルのうちのいずれかのチャネルで出力できるスイッチ手段と、前記複数のチャネルに接続される端末とを有しており、前記複数のチャネルは前記スイッチ手段を介してリング型に構成されている通信ネットワークにおける信号の伝送制御方法であって、
該通信ネットワークに入力され、前記チャネルを伝送されて宛先の端末に到達する信号が、該通信ネットワークに入力された後、前記スイッチ手段を２回以上経由して宛先の端末に到達するように制御することを特徴とする伝送制御方法。
【請求項５】
前記スイッチ手段は、この通信ネットワークに入力された後、該スイッチ手段を１回経由して宛先の端末に到達できる信号を、前記複数のチャネルのうちのいずれか任意のチャネルで出力する請求項４に記載の伝送制御方法。
【請求項６】
前記スイッチ手段は、１回以上他のスイッチ手段もしくは自スイッチ手段を経由し、あと１回自スイッチ手段を経由すると宛先の端末に到達できる信号を、前記複数のチャネルのうち、該宛先の端末が接続されるチャネルで出力する請求項４乃至５いずれかに記載の伝送制御方法。
【請求項７】
前記スイッチ手段は、前記複数のチャネルから入力される信号をそれぞれ記憶して入力されたチャネル毎に別個に出力するバッファと、該バッファの前記入力されたチャネル毎の出力と、前記スイッチ手段が信号を出力する前記複数のチャネルとの接続を切り換えるスイッチとを有しており、前記入力されたチャネル毎の出力と、複数のチャネルとの接続の切り換えを所定のパターンに従い、かつ前記入力されたチャネル毎の出力の複数が同時に同じ出力チャネルに接続されないように行う請求項４乃至６いずれかに記載の伝送制御方法。
【請求項８】
複数の端末を接続する為の複数のノード装置を、並列な複数のチャネルでリング状に接続し、前記並列な複数のチャネル間でのパケットの乗り換えを行うスイッチ手段を少なくとも２箇所に設けた通信ネットワークにおけるパケットの伝送制御方法であって、
隣接する下流のノード装置に接続された受信端末と通信する場合に、送信端末から送信された送信パケットが、前記リング状に接続された通信ネットワークを少なくとも１周以上周回してから受信端末に伝送されるように制御することを特徴とする伝送制御方法。
【請求項９】
複数の端末を接続する為の複数のノード装置を、並列な複数のチャネルでリング状に接続した通信ネットワークにおけるパケットの伝送制御方法であって、
送信端末から送信された送信パケットが入力される第１のノード装置において、隣接する下流の第２のノード装置に接続された受信端末に該パケットを伝送する場合に、該パケットを前記複数のチャネルのうちの任意のチャネルで出力し、該出力したパケットが前記第１のノード装置に入力された後、該第１のノード装置から前記複数のチャネルのうちの前記第２のノード装置において前記受信端末が接続されるチャネルで出力することを特徴とする伝送制御方法。
【請求項１０】
複数の端末装置を接続する為の複数のノード装置を、並列な複数のチャネルを用いてリング状に接続した通信ネットワークにおいて用いるノード装置において、
前記複数のチャネルを伝送されてくるパケットを受信する受信手段と、
前記複数のチャネルで入力されるパケットをスイッチングして、前記複数のチャネルのうちのいずれかに出力するスイッチ手段と、
前記受信手段により受信されたパケットが自ノード装置もしくは他のノード装置の前記スイッチ手段を経由した回数が２回以上であるか否かを判別する判別手段と、
前記判別手段による判別に応じて、前記ノード装置に接続される端末装置あるいは他のノード装置に前記パケットを送信する送信手段を有することを特徴とするノード装置。
【請求項１１】
前記判別手段は、前記受信手段により受信されたパケットが自ノード装置に接続される端末装置宛てに送信されたパケットか否かも判別することを特徴とする請求項１０に記載のノード装置。
【請求項１２】
前記ノード装置は、前記パケットに前記スイッチ手段を経由した回数が２回以上であるか否かを示す情報を付加する情報付加手段を有することを特徴とする請求項１０乃至１１のいずれかに記載のノード装置。
【請求項１３】
前記スイッチ手段は、複数の入力端と複数の出力端を有し、
各入力端が同時に同じ出力端に接続しないような所定のパターンに従って前記入力端と出力端を接続することを特徴とする請求項１０乃至１２のいずれかにに記載のノード装置。
【請求項１４】
複数の端末装置を接続する為の複数のノード装置を、並列な複数のチャネルを用いてリング状に接続した通信ネットワークにおいて用いる第１のノード装置において、
前記第１のノード装置に接続されている端末装置から伝送されてくるパケットを受信する受信手段と、
前記受信手段により受信されたパケットの宛先が、前記第１のノード装置の下流に隣接する第２のノード装置に接続されている端末装置か否かを判別する判別手段と、
前記判別手段による判別に応じて、前記パケットを前記リング状の通信ネットワークを少なくとも一周させるようにして前記パケットを前記第２のノード装置に送信する送信手段を有することを特徴とするノード装置。
【請求項１５】
前記送信手段は、前記判別手段により前記パケットの宛先が前記第２のノード装置でないと判別された場合には、前記パケットを前記リング状の通信ネットワークを一周しないようにして送信することを特徴とする請求項１４に記載のノード装置。
【請求項１６】
複数の端末装置を接続する為の複数のノード装置を、並列な複数のチャネルを用いてリング状に接続した通信ネットワークにおいて用いられ、前記複数のチャネルで入力されるパケットをスイッチングして、前記複数のチャネルのうちのいずれかに出力するスイッチ手段を有するノード装置の制御方法において、
前記複数のチャネルを伝送されてくるパケットを受信させる受信工程と、
前記受信工程において受信されたパケットが自ノード装置もしくは他のノード装置の前記スイッチ手段を経由した回数が２回以上であるか否かを判別する判別工程と、
前記判別工程における判別に応じて、前記ノード装置に接続される端末装置あるいは他のノード装置に前記パケットを送信させる送信工程を有することを特徴とするノード装置の制御方法。
【請求項１７】
複数の端末装置を接続する為の複数のノード装置を、並列な複数のチャネルを用いてリング状に接続した通信ネットワークにおいて用いる第１のノード装置の制御方法において、
前記第１のノード装置に接続されている端末装置から伝送されてくるパケットを受信させる受信工程と、
前記受信工程において受信されたパケットの宛先が、前記第１のノード装置の下流に隣接する第２のノード装置に接続されている端末装置か否かを判別する判別工程と、
前記判別工程における判別に応じて、前記パケットを前記リング状の通信ネットワークを少なくとも一周させるようにして前記パケットを前記第２のノード装置に送信させる送信工程を有することを特徴とするノード装置の制御方法。
【請求項１８】
複数の端末装置を接続する為の複数のノード装置を並列な複数のチャネルを用いてリング状に接続した通信ネットワークにおいて用いられ、複数の入力端と複数の出力端を有し、各入力端が同時に同じ出力端に接続しないような所定のパターンに従って前記入力端と出力端を接続して前記複数のチャネルで入力されるパケットを前記複数のチャネルのうちのいずれかに出力するスイッチ手段を有するノード装置において、
前記複数のチャネルを伝送されてくる制御情報を含むパケットを受信する受信手段と、
前記受信手段により受信されたパケットの前記制御情報に基いて、前記受信手段により受信されたパケットを前記ノード装置に接続する端末装置に送信、もしくは、他のノード装置に送信するかを判断する判断手段と、
前記ノード装置に接続する端末装置から送信されたパケットを前記判断手段による判断が行えるように前記制御情報を含むパケットに変換する変換手段を有することを特徴とするノード装置。
【請求項１９】
複数の端末装置を接続する為の複数のノード装置を並列な複数のチャネルを用いてリング状に接続した通信ネットワークにおいて用いられ、複数の入力端と複数の出力端を有し、各入力端が同時に同じ出力端に接続しないような所定のパターンに従って前記入力端と出力端を接続して前記複数のチャネルで入力されるパケットを前記複数のチャネルのうちのいずれかに出力するスイッチ手段を有するノード装置の制御方法において、
前記複数のチャネルを伝送されてくる制御情報を含むパケットを受信させる受信工程と、
前記受信工程において受信されたパケットの前記制御情報に基いて、前記受信工程において受信されたパケットを前記ノード装置に接続する端末装置に送信、もしくは、他のノード装置に送信するかを判断する判断工程と、
前記ノード装置に接続する端末装置から送信されたパケットを前記判断工程における判断が行えるように前記制御情報を含むパケットに変換する変換工程ことを特徴とするノード装置の制御方法。
【手続補正２】
【補正対象書類名】明細書
【補正対象項目名】００４３
【補正方法】変更
【補正の内容】
【００４３】
並列な複数のチャネルに接続され、各チャネルで入力された信号を前記複数のチャネルのうちのいずれかのチャネルで出力できるスイッチ手段と、前記複数のチャネルに接続される端末とを有しており、前記複数のチャネルは前記スイッチ手段を介してリング型に構成されている通信ネットワークであって、
該通信ネットワークに入力され、前記チャネルを伝送されて宛先の端末に到達する信号が、該通信ネットワークに入力された後、前記スイッチ手段を２回以上経由して宛先の端末に到達するように構成されていることを特徴とする通信ネットワーク。
【手続補正３】
【補正対象書類名】明細書
【補正対象項目名】００４５
【補正方法】削除
【補正の内容】
【手続補正４】
【補正対象書類名】明細書
【補正対象項目名】００４６
【補正方法】削除
【補正の内容】
【手続補正５】
【補正対象書類名】明細書
【補正対象項目名】００４７
【補正方法】削除
【補正の内容】
【手続補正６】
【補正対象書類名】明細書
【補正対象項目名】００４８
【補正方法】削除
【補正の内容】
【手続補正７】
【補正対象書類名】明細書
【補正対象項目名】００４９
【補正方法】削除
【補正の内容】
【手続補正８】
【補正対象書類名】明細書
【補正対象項目名】００５０
【補正方法】削除
【補正の内容】
【手続補正９】
【補正対象書類名】明細書
【補正対象項目名】００５１
【補正方法】削除
【補正の内容】
【手続補正１０】
【補正対象書類名】明細書
【補正対象項目名】００５２
【補正方法】削除
【補正の内容】
【手続補正１１】
【補正対象書類名】明細書
【補正対象項目名】００５３
【補正方法】削除
【補正の内容】
【手続補正１２】
【補正対象書類名】明細書
【補正対象項目名】００５４
【補正方法】削除
【補正の内容】
【手続補正１３】
【補正対象書類名】明細書
【補正対象項目名】００５５
【補正方法】削除
【補正の内容】
【手続補正１４】
【補正対象書類名】明細書
【補正対象項目名】００５６
【補正方法】削除
【補正の内容】
【手続補正１５】
【補正対象書類名】明細書
【補正対象項目名】００５７
【補正方法】削除
【補正の内容】
【手続補正１６】
【補正対象書類名】明細書
【補正対象項目名】００５８
【補正方法】削除
【補正の内容】
【手続補正１７】
【補正対象書類名】明細書
【補正対象項目名】００５９
【補正方法】削除
【補正の内容】
【手続補正１８】
【補正対象書類名】明細書
【補正対象項目名】００６６
【補正方法】変更
【補正の内容】
【００６６】
並列な複数のチャネルに接続され、各チャネルで入力された信号を前記複数のチャネルのうちのいずれかのチャネルで出力できるスイッチ手段と、前記複数のチャネルに接続される端末とを有しており、前記複数のチャネルは前記スイッチ手段を介してリング型に構成されている通信ネットワークにおける信号の伝送制御方法であって、
該通信ネットワークに入力され、前記チャネルを伝送されて宛先の端末に到達する信号が、該通信ネットワークに入力された後、前記スイッチ手段を２回以上経由して宛先の端末に到達するように制御することを特徴とする伝送制御方法。
【手続補正１９】
【補正対象書類名】明細書
【補正対象項目名】００７７
【補正方法】削除
【補正の内容】